(57)【要約】【課題】スーパーマーケット等の商品販売者の常客が、該販売者から反復購入して長中期手持ち在庫する日常消費品の消費在庫状態・次回購入日が簡便・的確に視認把握できる「商品販売者の常客への情報提供方法」を提供する。【解決手段】会員登録した常客が反復購入する手持ち在庫形態の特定商品をリストアップしたお気に入り商品台帳とお気に入り商品台帳に基づくお気に入り商品注文消費リストを、商品販売者が登録会員毎に作成して電子情報として通信可能に設定し、お気に入り商品注文消費リストは、常客毎の定量購入実績インターバルに基づく、お気に入り商品別の標準消費期間と注文インターバルの注文残日数状態が数値表示されて注文残日数が少なる順列で表示されて成り、登録会員が自己のお気に入り商品注文消費リストの電子情報をパソコン画面等に開き可能にする情報提供方法が特徴である。【選択図】　　なし【特許請求の範囲】
【請求項１】
商品販売者が自己の常客のそれぞれへ、商品購入情報を提供するにおいて、該常客を予め会員登録すると共に、該登録会員のそれぞれが反復購入する手持ち在庫形態の特定商品をリストアップしたお気に入り商品台帳と該お気に入り商品台帳に基づくお気に入り商品注文消費リストを、前記商品販売者が該登録会員毎に作成して電子情報として通信可能に設定し、該お気に入り商品注文消費リストは、前記常客毎の定量購入実績インターバルまたは定量購入希望インターバルに基づく、前記お気に入り商品別の標準消費期間と注文インターバルの注文残日数状態が数値表示されて該注文残日数が少なる順列で表示されて成り、前記登録会員が自己の前記お気に入り商品注文消費リストの電子情報をパソコン画面または携帯電話器のメール画面に開くことによって前記注文残日数の少なる商品を視覚知得可能にすることを特徴とする商品販売者の常客への情報提供方法。
【請求項２】
注文残日数が、ゼロに達した日の次の日からマイナス日数表示する表示形態である請求項１の商品販売者の常客への情報提供方法。
【請求項３】
注文残日数が、ゼロに達した日からゼロ表示にすると共に、標準消費期間に該ゼロ日からの日数を加算表示する形態である請求項１の商品販売者の常客への情報提供方法。
【発明の詳細な説明】
【０００１】
【発明の属する技術分野】
本発明は、日常消費品を販売するスーパーマーケット等の商品販売者が、常客個個が特定して一応の周期で反復購入して適量を手持ち在庫する「お気に入り商品」の購入手持ち情況や注文時期の切迫状況を、電子情報によって常客個個に簡便・的確に伝達する「商品販売者の常客への情報提供方法」に関するものである。
【０００２】
【従来の技術】
一般大衆の家庭や「食堂・料理店・合宿所・ホテル・旅館」等において日常消費する「米・野菜・食肉・卵・各種食材・油脂類・調味料・酒類等の飲料物・たばこ・茶葉・コーヒー粉」等の日常消費品は、その消費者のそれぞれが好みの「銘柄・産地・加工メーカー名・商標」等を特定した「お気に入り商品」を特定のスーパーマーケットから反復購入する購入慣習が広く普及している。
【０００３】
そして、それ等多種多様な日常消費品のうち「米・調味料・パン・牛乳・酒類・飲料物」等の購入後の消費日数が「５日〜４０日」等の中長期に亘るものは、一定の購入インターバルで定量購入して手持ち在庫し、順次消費すると共にその在庫量が少くなると注文購入して手持ち在庫量を確保する消費購入形態が広く普及定着している。
【０００４】
【発明が解決しようとする課題】
以上の従来の日常消費品の商品購入消費者の自己管理による注文・在庫管理形態は、時々在庫量を誤認して品切れさせたり過剰在庫を生じたり、さらには賞味期限超過の使用不能物を発生させることがあり、主婦・調理人・管理人等の日常の在庫管理と購入管理が煩わしく、その上、不使用廃棄の無駄を生ずる不具合がある。
【０００５】
さらに、以上の不具合が存在することから、商品販売者のスーパーマーケット等は定着したお得意様の「お気に入り商品」の販売量が安定しない「ばらつき形態」になることがあり、商品販売者としての仕入量・在庫量の安定性を阻害して、仕入れ・在庫上の無駄をもたらす要因となっている。
【０００６】
本発明は、以上の従来の不具合を解消する商品販売者の常客への情報提供方法を提供するものである。
【０００７】
【課題を解決するための手段】
以上の技術課題を解決する本発明は「商品販売者が自己の常客のそれぞれへ、商品購入情報を提供するにおいて、該常客を予め会員登録すると共に、該登録会員のそれぞれが反復購入する手持ち在庫形態の特定商品をリストアップしたお気に入り商品台帳と該お気に入り商品台帳に基づくお気に入り商品注文消費リストを、前記商品販売者が該登録会員毎に作成して電子情報として通信可能に設定し、該お気に入り商品注文消費リストは、前記常客毎の定量購入実績インターバルまたは定量購入希望インターバルに基づく、前記お気に入り商品別の標準消費期間と注文インターバルの注文残日数状態が数値表示されて該注文残日数が少なる順列で表示されて成り、前記登録会員が自己の前記お気に入り商品注文消費リストの電子情報をパソコン画面または携帯電話器のメール画面に開くことによって前記注文残日数の少なる商品を視覚知得可能にすることを特徴とする商品販売者の常客への情報提供方法」に成っている。
【０００８】
即ち、前記構成の本発明の「商品販売者の常客への情報提供方法」は、その常客が定量づつ反復購入して５日〜４０日等の長中期日数に亘って手持ち在庫する形態の「お気に入り商品群」を対象にして、その商品群個個の標準消費期間と「標準購入インターバルによる次の購入日に至る注文残日数（手持ち量の残日数）」の切迫状況を電子情報として提供可能に構成し、常客のそれぞれが自己のパソコン画面または携帯電話器画面に、その電子情報を開くことによって前記の切迫状況を簡便かつ的確に視認知得可能にする思想から成るものである。
【０００９】
そして、前記基本構成による作用効果のさらなる向上を図る技術意図から、前記お気に入り商品注文消費リストの注文残日数表示を「注文残日数が、ゼロに達した日からゼロ表示すると共に、標準消費期間に該ゼロ日からの日数を加算表示する形態」または「注文残日数が、ゼロに達した日の次の日からマイナス日数表示形態」の態様にする。
【００１０】
【作用】
以上の構成の本発明の「商品販売者の常客への情報提供方法」は、登録会員の商品購入者が自己のパソコン・携帯電話器を商品販売者の物流サーバーにアクセスして自己の前記お気に入り商品注文消費リストを画面ディスプレイすることによって、自己が定常的に消費する手持ち在庫形態の商品毎の消費残日数と次回注文日を的確に視覚認知することができるので、いちいち在庫手持ち量を確認することなく必要商品を適性タイミングで注文して宅配届けを受けたり、店頭出向購入して当該商品の手持ち量を適正に確保維持することができる。
【００１１】
従って、登録会員の「食堂・飲食店・合宿所・ホテル・旅館・一般家庭」等における前記中長期手持ち在庫形態の日常消費物品の品切れ・過剰手持ち等の無駄が防止できると共に、商品販売者は登録会員全員の「お気に入り商品注文消費リスト」の内容を集計把握することによって、商品毎の販売時期・販売量が高精度に予測可能にして、過剰在庫や在庫不足の無駄を防止して低コスト・高効率の商品流通ができる。そして、商品販売者は常客お得意様へのさらなるサービス提供ができる。
【００１２】
【発明の実施の形態】
食堂・飲食店・合宿所・旅館・ホテル・一般家庭等が、適量を手持ち在庫して順次日常的に消費する各種の食品・食材・各種飲料・各種調味料・たばこ等の長中期手持ち在庫形態の日常消費品を、特定したスーパーマーケット（以下、スーパーマーケットＡという）から一定の購入インターバルで定量購入する常客への情報提供として応用した本発明１実施形態を表１〜表３を参照して説明する。
【００１３】
即ち、まずこの実施形態の「スーパーマーケットＡの常客への情報提供方法」の適用を受けようとする常客は、スーパーマーケットＡに会員登録して「商品購入者を特定する会員番号とインターネット通信等の電子通信用の暗証番号」を受けると共に、購入商品の支払を必要に応じて決裁する預金口座の登録を行う。
【００１４】
そして、以上の会員登録手続が成されると、続いてスーパーマーケットＡは（表１参照）常客お得意様の登録会員が個別に周期的に定量づつ購入する前記手持ち在庫形態の「お気に入り商品」の「商品番号・銘柄・メーカー・産地・品質等級・形態・容量・購入単位・消費期間」等の商品売買諸元を詳細に表示して配列した「お気に入り商品台帳」（以下、単に商品台帳という）を電子情報として作成して、スーパーマーケットＡのＰＯＳシステム（コンピューター利用による公知の販売時点管理システム）の物流サーバーに入力セットし、常客のそれぞれが「自己の該商品台帳」を自己のパソコンまたは携帯電話器の画面に開き可能に設定する。
【００１５】
【表１】
2004070449.tif 000002
【００１６】
続いて、スーパーマーケットＡは前記商品台帳に基づいて常客個個との「お気に入り商品の売買」が開始されると、その売買データーを前記物流サーバーに入力することによって表２に示す日毎の「お気に入り商品注文消費リスト」を常客別に電子情報として出力可能に設定すると共に、この「お気に入り商品注文消費リスト」は商品別の「注文残日数（標準注文インターバルによる次回の注文日までの残日数）と標準消費期間」が該注文残日数の少い順で順列表示される形態に構成される。
【００１７】
【表２】
2004070449.tif 000003
【００１８】
そして、表２の「お気に入り商品注文消費リスト」は、毎日更新されて当日基準の注文残日数の少なる順列で表示されると共に、注文残日数がゼロに達しても購入補充されないときは、表２の３日後を示す表３のようにゼロ到達日からの日数がマイナス加算表示される。
【００１９】
【表３】
2004070449.tif 000004
【００２０】
かくして、スーパーマーケットＡにおける表１・表２・表３の電子情報が出力自在に構築されると、常客のそれぞれは自己の当日の前記「お気に入り商品注文消費リスト」を自己のパソコンまたは携帯電話器の画面に開いて、お気に入り商品の手持ち量切迫と「次回注文すべき日までの注文残日数」を的確に視認把握して必要商品を電子通信・電話通信によって注文して宅配依頼したり、店等出頭して購入して手持ち在庫の維持確保を実行する。
【００２１】
続いて、表４を参照して本発明の他の実施形態を説明する。即ち、表２に示す「お気に入り商品注文消費リスト」において、注文残日数がゼロに達すると、この実施形態のものは、そのゼロ到達日以降の注文残日数はゼロのままとして、標準消費期間の日数にゼロ到達日からの経過日数を加算した数値表示（表中の※印）の形態に成っている。
【００２２】
【表４】
2004070449.tif 000005
【００２３】
なお、表１に示す「お気に入り商品台帳」の内容は必要に応じて随時訂正するものにして、最初の設定時の標準消費期間は常客の意志による標準購入インターバルで設定し、以後反復する購入消費実績に基づいてより適切なものに演算して改変される。
【００２４】
以上の実施形態のものは前記の作用があり、常客のそれぞれは自己の「お気に入り商品注文消費リスト」をパソコンまたは携帯電話器の画面に開くことによって、手持ち在庫する日常消費品の在庫状況や購入補充日をワンタッチ的に的確に視認数値把握することができる。
【００２５】
そして、スーパーマーケットＡは常客群による反復購入商品の正確な予測が可能になって商品群の管理性が向上すると共に、常客群へのサービス提供のさらなる向上ができる。
【００２６】
なお、本発明は前記の実施形態に限定されず、表１に示す「お気に入り商品台帳」は前記の中長期在庫形態以外の「購入後１〜３日以内に速やかに消費する商品群」を加え、常客毎の「お気に入り商品群の総括リスト」に構成して、常客への宅配届けシステムにも兼用可能にする形態にすることがある。
【００２７】
【発明の効果】
以上の説明のとおり本発明の商品販売者の常客への情報提供方法は、特定したスーパーマーケット等の商品販売者から日常消費品を反復購入して消費する常客個個の手持ち在庫形態の日常消費品の「品切れ・過剰購入・賞味期限超過の廃却品」等の発生を防止して適正在庫量の安定維持と無駄防止を図ると共に、反復する注文タイミングを的確にして日常生活の便宜向上を図ることができる。
【００２８】
そして、商品販売者は特定商品群の販売予測が高精度にできるので、商品群の過剰在庫・品切れトラブルを防止して適正な商品仕入れと安定在庫量を確保して低コスト高効率の商品流通を図り、併せて購入お得意様へのサービスのさらなる向上ができる。以上の諸効果がある。